【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
物品を締め付けるためのリール式クロージャ装置であって、
内部領域を有するハウジング部品と、
前記ハウジング部品の前記内部領域内に回転可能に配置されたスプール部品であって、引張部材が物品を締め付けるように前記スプール部品の周りに巻取り可能であるように構成されたスプール部品と、
前記スプール部品の軸方向上方に配置され、前記スプール部品の第２の方向の回転を防止しながら前記スプール部品が前記ハウジング部品の内部領域内で第１の方向に回転することができるように前記スプール部品と動作可能に連結された駆動部品と、
前記ハウジングと回転可能に連結され、前記駆動部品の軸方向に上方配置された締め付け部品であって、前記締め付け部品の操作によって前記スプール部品が前記ハウジング部品の内部領域内で前記第１の方向に回転して前記引張部材を前記スプール部品の周りに巻き付けるように前記駆動部品と連結された締め付け部品と、
前記スプール部品の軸方向下方に配置された連結部品であって、前記ハウジング部品の前記内部領域内ならびに前記スプール部品の開口部および前記駆動部品の開口部を通って軸方向上方に突出する中央ボスを有し、前記スプール部品および前記駆動部品が前記中央ボスの周りに回転可能であり、前記連結部品は、前記中央ボスから半径方向外側に延在し、前記ハウジング部品の底端部に取り付けられる一対のアームをさらに含む、連結部品と、を含み、
各アームの遠位端部は、前記一対のアームが前記ハウジング部品の前記底端部に取り付けられたときに、前記ハウジング部品の底縁部の周りに湾曲する上向きに曲がったリップまたはタブを含む、リール式クロージャ装置。
【請求項２】
前記一対のアームのうちの各アームは、前記中央ボスと前記上向きに曲がったリップとの間に半径方向に延在する隙間を含む、請求項１に記載のリール式クロージャ装置。
【請求項３】
前記ハウジング部品の前記底縁部は、前記一対のアームが前記ハウジング部品の前記底端部に取り付けられたときに、軸方向に延在する各突起が対応するアームの半径方向に延在する隙間の間に位置するように構成される一対の軸方向に延在する突起を含む、請求項２に記載のリール式クロージャ装置。
【請求項４】
前記中央ボスは、前記駆動部品が前記中央ボスに対して軸方向上方に移動することを可能にするように構成され、かつ、前記駆動部品が前記スプール部品から連結解除される軸方向上昇位置に前記駆動部品を維持し、それによって、前記スプール部品が前記ハウジング部品の内部領域内で前記第２の方向に回転して、前記引張部材を前記スプール部品の周りからほどくことを可能にするようにさらに構成される、請求項１に記載のリール式クロージャ装置。
【請求項５】
前記中央ボスの頂端部は、前記駆動部品を前記軸方向上昇位置に維持するために前記駆動部品の前記開口部と係合する環状突起を含み、前記環状突起は、前記中央ボスに対する前記駆動部品の軸方向の移動により前記中央ボスが半径方向内側に撓むように前記駆動部品の開口部の直径よりも大きい直径を有する、請求項４に記載のリール式クロージャ装置。
【請求項６】
前記中央ボスは、軸方向に延在する隙間と、前記軸方向に延在する隙間内に配置された補強ばねと、を含み、前記補強ばねは、前記リール式クロージャ装置を延長して使用することにより前記中央ボスが変形するのを防止するために前記中央ボスを補強する、請求項１に記載のリール式クロージャ装置。
【請求項７】
前記補強ばねは、Ｕ字形構成を有する金属部品である、請求項６に記載のリール式クロージャ装置。
【請求項８】
前記締め付け部品は、本体を有する回転可能なノブと、第１のオーバーモールドと、第２のオーバーモールドと、を含み、前記第１および第２のオーバーモールドは、ユーザが前記ノブを握るのを助ける材料である、請求項１に記載のリール式クロージャ装置。
【請求項９】
リール式クロージャ装置であって、
内部領域を有するハウジングと、
前記ハウジングの前記内部領域内に回転可能に配置されたスプールと、
前記ハウジングと回転可能に連結された締め付け部材であって、前記締め付け部材の操作により前記スプールが前記ハウジング内で第１の方向に回転して前記引張部材を前記スプールの周りに巻き付けるように前記スプールと動作可能に連結された締め付け部材と、
前記スプールの軸方向下方に配置された連結部材であって、前記ハウジングの前記内部領域内に軸方向上方に突出する中央ボスを有し、かつ、前記中央ボスから半径方向外側に延在し、前記ハウジングの底端部に取り付けられた一対のアームを有する連結部材と、を含み、
各アームの遠位端部は、上方に湾曲し、前記一対のアームが前記ハウジングの前記底端部に取り付けられたときに前記ハウジングと取り外し可能に連結するリップまたはタブを含む、リール式クロージャ装置。
【請求項１０】
前記一対のアームのうちの各アームは、前記中央ボスと前記リップまたはタブとの間に半径方向に延在する隙間を含む、請求項９に記載のリール式クロージャ装置。
【請求項１１】
前記ハウジングの前記底端部は、前記一対のアームが前記ハウジングの前記底端部に取り付けられたときに、軸方向に延在する各突起が対応するアームの半径方向に延在する隙間の間に位置するように構成される一対の軸方向に延在する突起を含む、請求項１０に記載のリール式クロージャ装置。
【請求項１２】
前記リール式クロージャ装置は、前記スプールの軸方向上方に配置され、前記スプールの第２の方向の回転を防止しながら前記スプールが前記ハウジングの内部領域内で第１の方向に回転することができるように前記スプールと動作可能に連結された駆動部材をさらに含み、前記駆動部材は、前記駆動部材を前記スプールから連結解除するように前記スプールに対して軸方向に移動可能であり、それによって前記スプールが前記ハウジングの内部領域内で前記第２の方向に回転して前記引張部材を前記スプールの周りからほどくことを可能にする、請求項９に記載のリール式クロージャ装置。
【請求項１３】
前記中央ボスは、軸方向に延在する隙間と、前記軸方向に延在する隙間内に配置された補強ばねと、を含む、請求項９に記載のリール式クロージャ装置。
【請求項１４】
前記補強ばねは金属部品である、請求項１３に記載のリール式クロージャ装置。
【請求項１５】
前記締め付け部材は、本体を有する回転可能なノブと、第１のオーバーモールドと、第２のオーバーモールドと、を含み、前記第１および第２のオーバーモールドは、ユーザが前記ノブを握るのを助ける材料である、請求項９に記載のリール式クロージャ装置。
【請求項１６】
リール式クロージャ装置を組み立てる方法であって、
駆動部品を締め付け部品と連結するステップと、
前記駆動部品が前記ハウジング部品の内部領域に面するように、前記締め付け部品をハウジング部品の頂端部に連結するステップと、
前記スプール部品の頂端部が前記駆動部品の底面に面するように、前記ハウジング部品内にスプール部品を挿入するステップと、
前記連結部品の中央ボスが前記ハウジング部品の前記内部領域内に延在するように、連結部品を前記ハウジング部品の底端部に連結するステップと、を含み、
前記連結部品は、前記中央ボスから半径方向外側に延在し、前記ハウジング部品の前記底端部に取り付けられる一対のアームを含み、
各アームの遠位端部は、上方に湾曲し、前記一対のアームが前記ハウジング部品の前記底端部に取り付けられたときに前記ハウジング部品と取り外し可能に連結するリップまたはタブを含む、方法。
【請求項１７】
前記ハウジング部品内に前記スプール部品を挿入するステップは、前記ハウジング部品の前記底端部内に前記スプール部品を挿入するステップを含む、請求項１６に記載の方法。
【請求項１８】
前記中央ボスは軸方向に延在する隙間を含み、前記方法は、前記中央ボスの前記軸方向に延在する隙間内に補強ばねを挿入するステップをさらに含む、請求項１６に記載の方法。
【請求項１９】
前記締め付け部品をハウジング部品の頂端部と連結するステップは、前記締め付け部品のリップを前記ハウジング部品の対応するリップの上にスナップ留めするステップを含む、請求項１６に記載の方法。
【請求項２０】
前記スプール部品の開口部および前記駆動部品の開口部を通して前記中央ボスを挿入するステップをさらに含み、前記中央ボスの頂端部は、前記駆動部品の開口部の直径より大きい直径を有する環状突起を含む、請求項１６に記載の方法。